(57)【要約】【課題】単位パイル敷物に正確に裁断可能でかつ裁断によるパイルの乱れ等が生じず、タイルカーペット等の単位パイル敷物を敷設する際にも、突き合せ接合部にパイルの乱れや盛り上り等が生じないようにすることである。【解決手段】  長いパイル２ａを設けた領域を、短いパイル２ｂを設けた狭い幅Ｂ１の裁断帯２１、２２によって格子状に区画し、これらの裁断帯２１、２２のほぼ中央を通る仮想裁断線１１、１２に囲まれた領域を単位パイル材１０とする。【選択図】図４
2019013513.tif 000002
【特許請求の範囲】
【請求項１】
パイル長が約３ｍｍ〜約１２０ｍｍの比較的長いパイルの領域と、パイル長が０〜約５０ｍｍの比較的短いパイルの領域を有するパイルウェブから成るパイル材であって、前記短いパイルの領域は幅約１ｍｍ〜約１００ｍｍの連続して縦横に延びる裁断帯を形成し、この裁断帯によって前記長いパイルの領域を格子状に区画し、この裁断帯を通る仮想裁断線に囲まれた領域が単位パイル材を形成する敷物用パイル材。
【請求項２】
パイル長が約３ｍｍ〜約１２０ｍｍの比較的長いパイルの領域と、パイル長が０〜約５０ｍｍの比較的短いパイルの領域を有するパイルウェブから成るパイル材であって、前記短いパイルの領域は幅約１ｍｍ〜約１００ｍｍでパイルウェブの横断方向に連続して延びる裁断帯を形成し、この裁断帯によって前記長いパイルの領域を横縞状に区画し、この裁断帯を通る仮想裁断線に分割された領域が単位パイル材を形成する敷物用パイル材。
【請求項３】
前記長いパイルの平均パイル長が短いパイルの平均パイル長よりも大である請求項１または２に記載の敷物用パイル材。
【請求項４】
請求項１〜３のいずれかに記載の敷物用パイル材の裏面に、パイル材を支持しパイル材に硬さと弾力性を与える樹脂を含むバッキング層を設けたタイルカーペット原反。
【発明の詳細な説明】
【技術分野】
【０００１】
この発明は、屋内外に敷設されるパイル敷物の原反上面に用いられるパイル材に係り、特にこのパイル材を用いたタイルカーペット原反に関する。
【背景技術】
【０００２】
例えばタイルカーペットは、オフィス等の床面に広範に敷設されており、この種のタイルカーペットはパイル長の短いループパイルから形成されたものが一般に用いられている。実用的にみて、パイル面のパイル長が長いタイルカーペットでは、製造時の裁断によって端縁部のパイル乱れが生じ、溶断処理を施しても、この乱れを完全に防止することが難しいからである。このパイル乱れに加えて、実際の施工時においても、パイル長が長いとタイルカーペット同志の端縁部を突き合せる際に、パイルの絡みや盛り上り等が生じて、作業が手間どるばかりでなく、仕上りの外観が良くない問題がある。
【０００３】
そこで、特許文献１には、単位カーペットの端縁部にテーパを形成する技術が開示されている。しかしながら、個々の単位カーペットにそれぞれテーパを形成するのは極めて非効率的であって、この技術を例えばタイルカーペットに適用するのは現実的でない。
【０００４】
一方、特許文献２には、パイル長の短いループパイルから成る折り部を縦横に設けたカーペットラグが開示されている。しかしながら、この折り部は、カーペットラグの折り畳みを容易にするために設けられたものであって、折り部に囲まれた部分を単位カーペットに分割するという着想を得ることはできない。
【先行技術文献】
【特許文献】
【０００５】
【特許文献１】特開平１０−５７２２５号公報
【特許文献２】特開２０１６−２２１１６９号公報
【発明の概要】
【発明が解決しようとする課題】
【０００６】
この発明の課題は、単位パイル敷物に正確に裁断可能でかつ裁断によるパイルの乱れ等が生じず、タイルカーペット等の単位パイル敷物を敷設する際にも、突き合せ接合部にパイルの乱れや盛り上り等が生じないようにすることである。
【課題を解決するための手段】
【０００７】
上記の課題を解決するために、第１の発明は、パイル長が約３ｍｍ〜約１２０ｍｍの比較的長いパイルの領域と、パイル長が０〜約５０ｍｍの比較的短いパイルの領域を有するパイルウェブから成る敷物用パイル材において、前記短いパイルの領域は幅約１ｍｍ〜約１００ｍｍの連続して縦横に延びる裁断帯を形成し、この裁断帯によって前記長いパイルの領域を格子状に区画し、この裁断帯を通る仮想裁断線に囲まれた領域が単位パイル材を形成するようにしたのである。
【０００８】
第２の発明は、パイル長が約３ｍｍ〜約１２０ｍｍの比較的長いパイルの領域と、パイル長が０〜約５０ｍｍの比較的短いパイルの領域を有するパイルウェブから成る敷設用パイル材において、前記短いパイルの領域は幅約１ｍｍ〜約１００ｍｍでパイルウェブの横断方向に連続して延びる裁断帯を形成し、この裁断帯によって前記長いパイルの領域を横縞状に区画し、この裁断帯を通る仮想裁断線に分割された領域が単位パイル材を形成するようにしたのである。
【０００９】
前記長いパイルの平均パイル長を短いパイルの平均パイル長よりも大きくしてある。
【００１０】
前記敷物用パイル材の裏面に、パイル材を支持しパイル材に硬さと弾力性を与える樹脂を含むバッキング層を設けてタイルカーペット原反を形成することができる。
【発明の効果】
【００１１】
この発明によれば、以上のように、パイルウェブの長いパイルの領域を取り囲むように短いパイルから成る裁断帯を設け、この裁断帯に沿って裁断するようにしたので、裁断の際に長いパイルを巻き込んでパイルに乱れが生じることが少なく、また単位カーペットに完成後も周端縁部に短いパイルが残っているので、突き合せて敷設する際にパイルの絡まりや盛り上りが生じず、外観上良好なばかりでなく、作業効率も高まる。そのほか、適当なサイズに裁断することによって運搬や保管等の取扱い効率を高めることができる。
【図面の簡単な説明】
【００１２】
【図１】敷物用パイル材の一例を示す縦断面図、
【図２】敷物用パイル材の他の例を示す縦断面図、
【図３】敷物用パイル材のさらに他の例を示す縦断面図、
【図４】敷物用パイル材の平面図、
【図５】敷物用パイル材の他の例を示す平面図、
【図６】敷物用パイル材のさらに他の例を示す平面図、
【図７】タイルカーペット原反の一例を示す縦断面図、
【図８】単位タイルカーペットの平面図、
【図９】単位タイルカーペットを突き合せた状態を示す部分断面図である。
【発明を実施するための形態】
【００１３】
以下、この発明の実施形態を添付図面に基づいて説明する。図１に示すように、敷物用パイル材１は、比較的パイル長Ａ１の長いパイル２ａの領域と比較的パイル長Ａ２の短いパイル２ｂの領域を所定間隔で設けたパイルウェブである。これらのパイル２ａ、２ｂはタフティングやフッキングによって設ける場合は、図示のように基布３に植え込み、織成する場合は、経緯糸からループパイルを立ち上げればよい（図３参照）。
【００１４】
長いパイル２ａのパイル長Ａ１は約３ｍｍ〜約１２０ｍｍの範囲、短いパイル２ｂのパイル長Ａ２は０〜約５０ｍｍの範囲である。短いパイル２ｂはパイル長Ａ２がゼロ即ちパイルが無い場合も含んでいる。図２、図３にその例を示す。図２に示すように、隣接するパイル２ａとパイル２ａとの間はタフティングを行なわずに、バックステッチ２ｃでスキップさせたり、図３に示す織物のように、パイルループを形成せずに平坦面２ｄに織成することができる。勿論織物の場合も、短いパイル２ｂ（図１）を立ち上げることができる。なお、パイルウェブには、パイルを植設した基布やパイルを形成した織布のほか、起毛した編織布や立毛を形成した不織布等を含む。
【００１５】
前記パイル２ａ、２ｂの領域において、パイル長Ａ１、Ａ２は必ずしも均一でなくてもよい。即ちパイル長Ａ１の平均がパイル長Ａ２の平均より大であればよく、従ってパイル２ａの中でパイル２ｂの長さに等しいか小さいものもありうる。また、パイル２ａ、２ｂはカットパイル、ループパイル、或はそれらの混合パイルのいずれでもよい。
【００１６】
前記長いパイル２ａが設けられた領域は、図４に示すように、縦方向に直線的に連続して延びる縦裁断帯２１と横方向に直線的に連続して延びる横裁断帯２２によって略格子状に区画されている。これらの裁断帯２１、２２の幅Ｂ１は、図１に示すように、隣接するパイル２ａの領域の内側パイル２ａの根本間の距離であって、概略１ｍｍ〜１００ｍｍの範囲である。これらの裁断帯２１、２２は、パイル材１にバッキング層を設ける等によってパイル敷物原反として完成した後に、裁断分割するための裁断線が通る帯域であって、前記短いパイル２ｂが設けられた領域である。それらの仮想裁断線１１、１２に囲まれた領域を単位パイル材１０とすれば、単位パイル材１０のほとんど全表面が長いパイル２ａに被われ、狭い幅の外周端縁部に短いパイル２ｂが残っている。この単位パイル材１０の平面形状は、図４のような正方形に限らず、長方形、斜方形（菱形）のいずれでもよい。なお、裁断線１１、１２は裁断帯２１、２２のそれぞれ中央を通るのが好ましい。
【００１７】
上記裁断帯２１と２２は同幅でもよいが、縦裁断帯２１と横裁断帯２２が異なっていてもよい。また、図５に示すように、縦裁断帯２１と横裁断帯２２の両方またはいずれか一方に異なった幅Ｂ２の裁断帯２１ａ、２２ａを設けることができる。これらの裁断帯２１ａ、２２ａは、例えば粗裁断を行なった後に正裁断を行なう場合に、広い幅Ｂ２の裁断帯２１ａ、２２ａに、粗裁断を行なう際のサイズのマージンを見込んでおくことができる。また、図６に示すように、裁断帯２１、２２は直線的ではなく屈曲していてもよい。図では横裁断帯２２が波形になっているが、勿論縦裁断帯２１が屈曲していてもよい。屈曲形状も曲線形や角線形等いずれでもよい。それによって多角形やその他の異形の単位パイル材１０を形成することができる。さらに、パイル材１の横断方向にのみ、裁断帯２２を設けることができる。この場合は、裁断帯２２はパイル材１に横縞模様を形成する。
【００１８】
上述のようにしてパイル２ａ、２ｂを形成したパイル材１の裏面に接着剤を含浸または塗布してパイル目止め層４を形成することができる（図１、図２、図３）。接着剤としては、アクリロニトリル−ブタジエンゴム（ＮＢＲ）、スチレン−ブタジエンゴム（ＳＢＲ）等の合成ゴム、エチレン−酢酸ビニル共重合体（ＥＶＡ）、ポリウレタン等の熱可塑性樹脂が例示される。
【００１９】
前記パイル２ａ、２ｂのパイル糸としては、木綿、羊毛等の天然繊維や、ポリエステル、ポリアミド、ポリプロピレン等の合成繊維の１種または２種以上から成る撚糸または無撚糸が用いられる。また複数本のパイル糸によってパイル２ａ、２ｂを形成することができる。
【００２０】
前記基布３としては、天然繊維または合成繊維或はこれらの混合繊維から成る編布、織布、不織布が用いられる。また、繊維強化プラスチックシートを用いることができる。さらに、これらの積層体を用いてもよい。
【００２１】
上記パイル材１は、そのまま裁断線１１、１２に沿って裁断し、パイル敷物として使用することもできるが、パイル材１の裏面に、編布、織布、不織布、合成ゴム、合成樹脂等の単体または複合体から成るバッキング層を積層してパイル敷物の原反を作成し、この原反を裁断線１１、１２に沿って裁断し、単体パイル敷物として、タイルカーペットやカーペットラグ、ダストコントロールマット等に使用することができる。また、ホテルのホールに敷設されるカーペットや競技場に敷設される人工芝の場合、長尺のパイル敷物を巻物として運搬、保管等の取扱いがなされているが、これを積み重ねて運送可能なサイズに裁断分割すれば非常に便利である。
【００２２】
従って単位パイル材１０の平面サイズは、使用目的に応じて選択される。例えばタイルカーペットの場合、略４５×４５ｃｍ、５０×５０ｃｍ、２５×１００ｃｍ等であり、カーペットラグの場合は（１００〜３００ｃｍ）×（１００〜３００ｃｍ）の範囲である。従って、このような単位パイル材１０の平面サイズに応じて、パイル材１に設けられる裁断帯２１、２２、２１ａ、２２ａの配列が設計される。
【００２３】
図７に上記パイル材１を用いてタイルカーペット原反３０を形成した一例を示す。図示のように、パイル材１の裏面には、中間樹脂層５ａと外面樹脂層５ｂから成るバッキング層５が設けられている。中間樹脂層５ａは、パイル材１の剥離やパイル２ａ、２ｂの抜糸を防止し、支持強度を高めるために設けられた樹脂層であって、ポリ塩化ビニルやエチレン−酢酸ビニル共重合体等で形成される。外面樹脂層５ｂは、所謂ハードバック層として硬度と弾力性を高めに設定されたポリ塩化ビニル等で形成される。
【００２４】
タイルカーペットのバッキング層５には、上記の他に様々な層構成が採用されている。例えばガラス繊維シートを中間樹脂層５ａと外面樹脂層５ｂとの間に挿入したり、不織布を中間樹脂層５ａと外面樹脂層５ｂとの間に挿入したものがある。さらに外面樹脂層５ｂの裏面（外面）にクッション層として編布、織布、不織布、発泡ポリエチレン等を積層したものも見られる。そのほか、中間樹脂層５ａと外面樹脂層５ｂを一体化して一層の発泡ポリ塩化ビニルによってバッキング層５を形成したものもある。要は、パイル材１を強固に支持し、適度の弾力性と硬さを与えることができれば、バッキング層５の層構成は特に限定されない。なお、図中、符号２２、１２は、それぞれ裁断帯及び裁断線を示す。
【００２５】
図５に単位タイルカーペット３０ａを示す。このタイルカーペット３０ａは、前記長尺のタイルカーペット原反３０を、例えば２１０ｃｍ×１０５ｃｍの長方形サイズに粗裁断した後、５０ｃｍ×５０ｃｍの正方形に打ち抜き裁断したものである。図示のように、打ち抜き裁断された外端縁３１から内側に概略１／２Ｂ１に相当する幅で外周帯部３２が形成され、ここには短いパイル２ｂが設けられている。この外周帯部３２に囲まれたカーペット表面３３は、長いパイル２ａによって被覆されている。
【００２６】
いま、前記タイルカーペット３０ａを床面に敷設する場合、図９に示すように、隣接するタイルカーペット３０ａと３０ａの外端縁３１同志を突き合せた際に、外周帯部３２、３２には短いパイル２ｂが設けられているため、隣接するタイルカーペット３０ａ、３０ａの長いパイル２ａ、２ａが互に重なり合ったり、からみ合うようなことがない。そして敷設後は、狭い幅の突き合せ接合部が長いパイル２ａに覆われて目立たないので外観的に好ましい。
【００２７】
なお、タイルカーペット３０ａの形状は、正方形に限らず、長方形やその他の異形であってもよい。平面サイズも種々選択可能である。
【符号の説明】
【００２８】
１  敷物用パイル材
２ａ、２ｂ  パイル
２ｃ  バックステッチ
２ｄ  平坦面
３  基布
４  パイル目止め層
５  バッキング層
５ａ  中間樹脂層
５ｂ  外面樹脂層
１０  単位パイル材
１１、１２  裁断線
２１、２２  裁断帯
３０  タイルカーペット原反
３０ａ  単位タイルカーペット
３１  外端縁
３２  外周帯部
３３  カーペット表面
Ａ１、Ａ２  パイル長
Ｂ１、Ｂ２  裁断帯の幅
【図１】
2019013513.tif 000003
【図２】
2019013513.tif 000004
【図３】
2019013513.tif 000005
【図４】
2019013513.tif 000006
【図５】
2019013513.tif 000007
【図６】
2019013513.tif 000008
【図７】
2019013513.tif 000009
【図８】
2019013513.tif 000010
【図９】
2019013513.tif 000011